(57)【要約】【課題】  蓋体等の重量が増加した場合でも、良好な操作性を維持できるとともに、その奥行方向寸法を短めに形成することができる記録再生装置の蓋開閉装置を提供する。【解決手段】  ホルダ側スライダ１３と蓋体側スライダ１０とをカム形状部（カム孔１０ｃと係合突起１３ａ）を介して連動させ、前記カム形状部を、蓋体の開放位置から閉塞完了位置の手前である閉塞手前位置まではホルダ側スライダ１３が蓋体側スライダ１０に係合してカートリッジ引き込み方向に移動する一方、閉塞手前位置から閉塞完了位置までは、ホルダ側スライダ１３が連動しない形状に形成した。これにより、蓋体の閉塞手前位置から閉塞完了位置までは、カム形状部において蓋体側スライダ１０とホルダ側スライダ１３とのスライド方向の係合が外れるなどして、ホルダ側スライダ１３が連動しないので、蓋体の動きに連動してスライダが常に移動する構造である場合と比較して、記録再生装置の奥行方向寸法を短めに形成できる。【選択図】  図７
2005108308.tif 000002
【特許請求の範囲】
【請求項１】
本体キャビネットと、
この本体キャビネットに開閉自在に枢支された蓋体と、
蓋体の開放に連動して前記本体キャビネットと開放された蓋体の先端部分との間に挿入口が位置し、記録媒体を収納したカートリッジが挿入されて保持されるカートリッジホルダと、
前記カートリッジホルダにスライド自在に取り付けられ、挿入された前記カートリッジに係合するカートリッジ係合部を有するホルダ側スライダと、
前記蓋体の側面において奥行方向にスライド自在に取り付けられた蓋体側スライダと、
一端が前記本体キャビネットの側面に連結されているとともに他端が前記蓋体側スライダに連結され、前記蓋体を開いた際に、前記他端が蓋体の先端部分に接近するように回動する連結リンクと、
前記蓋体側スライダを蓋体の先端部側に付勢することにより蓋体を開放方向に付勢する付勢手段と、
を備え、
ホルダ側スライダと蓋体側スライダとをカム形状部を介して連動させ、
前記蓋体の開閉動作に伴って前記ホルダ側スライダによりカートリッジを移動させるように構成し、
前記カム形状部を、蓋体の開放位置から閉塞完了位置の手前である閉塞手前位置までは前記ホルダ側スライダが前記蓋体側スライダに係合してカートリッジ引き込み方向に移動する一方、前記閉塞手前位置から閉塞完了位置までは、ホルダ側スライダが連動しない形状に形成した
記録再生装置の蓋開閉装置。
【請求項２】
蓋体側スライダに、カム形状部としてのカム孔を形成し、ホルダ側スライダにカム孔に係合する係合突起を設けたことを特徴とする請求項１記載の記録再生装置の蓋開閉装置。
【請求項３】
ホルダ側スライダに、カム形状部としてのカム孔を形成し、蓋体側スライダにカム孔に係合する係合突起を設けたことを特徴とする請求項１記載の記録再生装置の蓋開閉装置。
【発明の詳細な説明】
【技術分野】
【０００１】
本発明は、記録再生装置に対して記録媒体を収納したカートリッジを出し入れするために設けられている蓋体の開閉装置に関するものである。
【背景技術】
【０００２】
この種の記録再生装置の具体例としては、記録媒体としてミニディスク（ＭＤ）を収納したカートリッジをセットして再生する携帯用ＭＤプレーヤを例に挙げることができる。
携帯用ＭＤプレーヤは、本体キャビネットと、この本体キャビネットに基端が開閉自在に枢支された蓋体と、蓋体の側に取り付けられたカートリッジホルダとを有している。そして、カートリッジホルダに保持されたカートリッジを本体キャビネットに設けた駆動手段で回転駆動しながら、本体キャビネットに設けたアクセス手段としての光ピックアップユニットによりカートリッジにアクセスするように構成されている。また、磁気ヘッドを有して、カートリッジの記録媒体に記録可能に構成したものもある。
【０００３】
携帯用ＭＤプレーヤへのカートリッジの装填は、蓋体を開くことによってカートリッジホルダの挿入口が現れて、ここにカートリッジを手動で奥端まで挿入し、その後に前記蓋体を閉じることで、前記カートリッジが本体キャビネットに設けた駆動手段に連結される構成とされている。
【０００４】
ここで、蓋体を開いても、蓋体とカートリッジとが密着した状態であると、カートリッジの取り出しの際に、カートリッジが蓋体の手前部分に干渉したり、カートリッジを取り出し難かったりするので、蓋体を開けた状態においては、カートリッジホルダの開き角度よりも蓋体の開き角度が大きくなるように構成されている。これにより、蓋体を開くと、蓋体から少し離間させてカートリッジが位置することになり、蓋体とカートリッジとが密着した状態である場合と比較すると、カートリッジが蓋体の手前部分に干渉することも防止でき、カートリッジを手でつかみ易くなる。なお、この構成においては、蓋体を閉じる際には、蓋体が完全に閉塞される前の位置で、先にカートリッジが本体キャビネット内に格納され、この後、さらに蓋体を閉じることで、閉塞完了位置まで閉じられることとなる。
【０００５】
しかし、このように構成しただけでは、蓋体を開いた状態でもカートリッジが蓋体と本体キャビネットとの間の奥まった位置にあるので、カートリッジを取り出し難いという欠点を完全には解消できなかった。
【０００６】
この欠点を完全に解消すべく、蓋体を開くと、カートリッジが蓋体よりも手前側に出てくるように構成したものが実用化されている。この具体的構成としては、カートリッジに形成されている係合凹部に係合するスライダを、カートリッジホルダに対してスライド自在に設けて、蓋体の動きにスライダを連動させる機構を設けている。
【０００７】
この構成によれば、蓋体を開くと、蓋体の動きに連動してスライダが手前側に移動し、カートリッジの手前側部分が蓋体よりも手前側に引き出されてくるので、カートリッジを手でつかんで取り出し易くなり、操作性が極めて良好となる。また、カートリッジをカートリッジホルダの奥端部まで移動させなくても、カートリッジの係合凹部がスライダに係合する位置までカートリッジを挿入させるだけでよくなり、蓋体を閉じるとカートリッジが奥側に自動的に引き込まれて、支障なく駆動できる。
【０００８】
しかし、スライダが蓋体の動きに常に連動して手前側などに移動する構造であると、蓋体を開放位置から、カートリッジが本体キャビネット内に格納される閉塞完了の手前位置（閉塞手前位置と称す）まで閉じる動作を行うだけでなく、さらに前記閉塞手前位置から閉塞完了位置まで閉じる動作を行っている際にもスライダおよびカートリッジが移動されることとなるので、この閉塞手前位置から閉塞完了位置までの際の移動距離だけ、携帯用ＭＤプレーヤなどの記録再生装置の奥行方向寸法を長めに形成しなければならず、記録再生装置の大型化を招いてしまう。
【０００９】
これに対処して、カートリッジの取扱操作を良好に行えながら、その奥行方向寸法を長めに形成しなくても済む記録再生装置が提案されている（特許文献１等）。
この記録再生装置は、図８〜図１２に示すように、本体キャビネット９０の側面に取り付けられたリンク台１００にその一端が連結された第１のリンク１０１と、第１のリンク１０１の他端にその一端がピン１０２を介して連結されているとともに、その他端側にスライダ１０３が一体形成され、このスライダ１０３部分でカートリッジホルダ１１０のカートリッジガイド片１０４にスライド自在に取り付けられた第２のリンク１０５と、蓋体１２０の側面に取り付けられたリンク板１２１と、カートリッジガイド片１０４の基端部とリンク台１００の基端部とリンク板１２１の基端部とを連結する軸１０８などを備えている。なお、図８における１３０は蓋体１２０を開くためのオープン用つまみ、１３１は蓋体１２０を閉塞姿勢に維持するロックレバーである。
【００１０】
ここで、第２のリンク１０５のスライダ１０３には長孔１０３ｂが形成され、この長孔１０３ｂに、カートリッジガイド片１０４に取り付けられたピン１０９がスライド自在に係合されている。また、第１のリンク１０１と第２のリンク１０５とを連結するピン１０２は、リンク板１２１の長孔１２１ａに沿ってスライド自在に支持されている。スライダ１０３には、カートリッジ１１１に弾性変形して係合する係合凸部１０３ａが形成されている。
【００１１】
また、第１のリンク１０１におけるリンク台１００に連結される箇所には長孔１０１ａが形成されており、この長孔１０１ａに挿入されたリンク支軸１０６を介して第１のリンク１０１とリンク台１００とが連結されている。さらに、リンク支軸１０６にはつる巻きばね１０７が外装され、このつる巻きばね１０７の端部は第１のリンク１０１とリンク台１００とにそれぞれ係合されている。そして、このつる巻きばね１０７により、本体キャビネット９０に固定されたリンク台１００に対して第１のリンク１０１が開く方向、すなわち、蓋体１２０が開放される側に付勢している。
【００１２】
蓋体１２０を開放姿勢から閉じていくと、第１のリンク１０１と第２のリンク１０５とが、図１１および図１２（ｃ）に示すように大きく折れ曲がった姿勢から、図１２（ｂ）に示すような折れ曲がり角度が小さい姿勢まで回動し、これに伴って、スライダ１０３とともにカートリッジ１１１が引き込まれる。
【００１３】
しかし、図１２（ｂ）に示すような閉塞手前位置まで蓋体１２０を閉じた際には、カートリッジガイド片１０４に取り付けられたピン１０９が、スライダ１０３の長孔１０３ｂの端部壁面に当接するので、スライダ１０３およびカートリッジ１１１はそれ以上奥側に引き込まれることが阻止され、この閉塞手前位置から蓋体１２０を図１２（ａ）に示すような閉塞完了位置まで閉じていった際には、リンク支軸１０６に対して第１のリンク１０１の長孔１０１ａがスライドしながら、第１のリンク１０１が手前側に押し出されるように移動して回動する。
【００１４】
この結果、蓋体１２０の動きに連動してスライダ１０３およびカートリッジ１１１が手前側に移動する構造を実現しながら、蓋体１２０の閉塞手前位置から閉塞完了位置まで閉じる動作を行う際には、スライダ１０３およびカートリッジ１１１が引き込み方向には移動しない構造とすることができ、蓋体の動きに連動してスライダが常に手前側に移動する構造である場合と比較して、携帯用ＭＤプレーヤなどの記録再生装置の奥行方向寸法を短めに形成することができ、記録再生装置が大型化することを阻止できる。
【特許文献１】特開２００１−３１９４０５号公報
【発明の開示】
【発明が解決しようとする課題】
【００１５】
しかしながら、図８〜図１２に示すような構成の記録再生装置においては、つる巻きばね１０７により蓋体１２０を開放させる側に付勢させている構造であり、このようなつる巻きばね１０７の付勢力では、蓋体１２０自体の重量が増加したり、蓋体１２０に表示部や操作部などの他の部品が取り付けられて重量が増加したりすると、オープン用つまみ１３０を操作しても、蓋体１２０が良好に開かなくなるおそれがある。
【００１６】
このような不具合を防止する方法としては、スライダ１０３や第２のリンク１０５を蓋体１２０に沿った手前方向（図１２に示すａ方向）に付勢するコイルスプリングなどからなる付勢手段を設けることが考えられる。しかし、この構成を採用すると、第２のリンク１０５に連結された第１のリンク１０１が常にＢ方向に付勢されるため、第１のリンク１０１に長孔１０１ａを形成しても、第１のリンク１０１がリンク支軸１０６に対してスライドせず、この結果、上述した動作が行われないこととなって、記録再生装置が大型化したり、蓋体１２０の開放時の開放角度が小さくなって操作性が低下したりする課題を生じる。
【００１７】
本発明は上記課題を解決するもので、蓋体等の重量が増加した場合でも、良好な操作性を維持できるとともに、その奥行方向寸法を短めに形成することができる記録再生装置の蓋開閉装置を提供することを目的とするものである。
【課題を解決するための手段】
【００１８】
本発明の請求項１記載に係る記録再生装置の蓋開閉装置は、本体キャビネットと、この本体キャビネットに開閉自在に枢支された蓋体と、蓋体の開放に連動して前記本体キャビネットと開放された蓋体の先端部分との間に挿入口が位置し、記録媒体を収納したカートリッジが挿入されて保持されるカートリッジホルダと、前記カートリッジホルダにスライド自在に取り付けられ、挿入された前記カートリッジに係合するカートリッジ係合部を有するホルダ側スライダと、前記蓋体の側面において奥行方向にスライド自在に取り付けられた蓋体側スライダと、一端が前記本体キャビネットの側面に連結されているとともに他端が前記蓋体側スライダに連結され、前記蓋体を開いた際に、前記他端が蓋体の先端部分に接近するように回動する連結リンクと、前記蓋体側スライダを蓋体の先端部側に付勢することにより蓋体を開放方向に付勢する付勢手段と、を備え、ホルダ側スライダと蓋体側スライダとをカム形状部を介して連動させ、前記蓋体の開閉動作に伴って前記ホルダ側スライダによりカートリッジを移動させるように構成し、前記カム形状部を、蓋体の開放位置から閉塞完了位置の手前である閉塞手前位置までは前記ホルダ側スライダが前記蓋体側スライダに係合してカートリッジ引き込み方向に移動する一方、前記閉塞手前位置から閉塞完了位置までは、ホルダ側スライダが連動しない形状に形成したことを特徴とする。
【００１９】
この構成によれば、従来の記録再生装置におけるスライダおよび第２のリンクに対応する部分を、ホルダ側スライダと蓋体側スライダとに分割するとともに、これらのスライダを、カム形状部を介して連結させ、このカム形状部を、蓋体の開放位置から閉塞手前位置まではホルダ側スライダが蓋体側スライダに係合して連動するように構成したので、蓋体の動きに連動してホルダ側スライダを奥行方向に移動させることができて操作性を向上させることができる。また、蓋体の閉塞手前位置から閉塞完了位置までは、カム形状部において蓋体側スライダとホルダ側スライダとのスライド方向の係合が外れるなどして、ホルダ側スライダが連動しないので、蓋体の動きに連動してスライダが常に移動する構造である場合と比較して、記録再生装置の奥行方向寸法を短めに形成することができる。
【００２０】
しかも、蓋体側スライダを蓋体の先端部側に付勢する付勢手段としてコイルばねなどの付勢力の大きなものを採用でき、この付勢手段による蓋体側スライダへの付勢力は、本体キャビネットの側面に連結された連結リンクに、この連結リンクが本体キャビネットに対して開く方向に回動するように作用するので、蓋体は開放側に良好に付勢される。そして、従来の記録再生装置におけるスライダおよび第２のリンクに対応する部分を、ホルダ側スライダと蓋体側スライダとに分割するとともに、これらのスライダを、カム形状部を介して連結させたので、蓋体の位置に応じてホルダ側スライダを良好に連動状態と非連動状態とに制御できる。
【００２１】
なお、ホルダ側スライダと前記蓋体側スライダとの何れか一方のスライダにカム形状部としてのカム孔を形成し、他のスライダに前記カム孔に係合する係合突起を設けるとよい。
【発明の効果】
【００２２】
以上のように本発明の記録再生装置の蓋開閉装置によると、蓋体の動きに連動してホルダ側スライダを奥行方向に移動させることができて操作性を向上させることができながら、記録再生装置の奥行方向寸法を短めに形成することができて大型化を阻止でき、しかも、蓋体側スライダを蓋体の先端部側に付勢する付勢手段を用いたことにより付勢手段としてコイルばねなどの付勢力の大きなものを採用できて、蓋体等の重量が増加した場合でも、蓋体を良好に開くことができ、ホルダ側スライダと蓋体側スライダとをカム形状部を介して連結させたので、蓋体の位置に応じてホルダ側スライダを良好に連動状態と非連動状態とに制御でき、信頼性が向上するとともに、カム形状部の形状は容易に設計変更できるため、連動状態と非連動状態とに制御するタイミングや移動範囲の許容量を自由に設定できる利点もある。
【発明を実施するための最良の形態】
【００２３】
以下、本発明の実施の形態に係る記録再生装置の蓋開閉装置を図面に基づいて説明する。なお、この実施の形態においては、理解し易いように、図１に示すような、カートリッジホルダの挿入口が手前側に向いた姿勢に記録再生装置を配置した場合を例にとって、奥行方向や上下方向の説明を行っているが、この配置に限るものではないことはもちろんである。
【００２４】
図１に示すように、本発明の実施の形態に係る記録再生装置としての携帯用ＭＤプレーヤは、本体キャビネット１と、この本体キャビネット１に基端を中心に開閉自在に枢支された蓋体２と、蓋体２の開放に連動して本体キャビネット１と開放された蓋体２の先端部との間にその挿入口５ｓが位置し、記録媒体を収納したＭＤカートリッジ（以下、カートリッジと称す）３（図３参照）が挿入されて保持されるカートリッジホルダ５と、蓋体２とカートリッジホルダ５とを連動させる機能などを有するリンクユニット３０などを備えている。
【００２５】
蓋体２を閉じた状態では、カートリッジホルダ５により保持されたカートリッジ３の記録媒体が、本体キャビネット１に設けた駆動手段としてのスピンドルモータに連結されたターンテーブル４で回転駆動可能に配置され、この状態で、本体キャビネット１に設けたアクセス手段としての光ピックアップユニットにより前記記録媒体にアクセスできるように構成されている。なお、図示しないが、光ピックアップユニットとともに連動する磁気ヘッドを設けて、この磁気ヘッドにより記録媒体に対して記録可能に構成してもよいが、これに限るものではなく、磁気ヘッドを有しない再生機能のみの装置にも適用可能である。つまり、記録再生装置とは記録および再生機能を有する装置だけでなく、再生機能だけを有する装置をも含む。
【００２６】
まず、リンクユニット３０についての具体的な構成を図２、図５などに基づいて説明する。ここで、図２は、蓋体２の裏面にリンクユニット３０を取り付けて裏返した状態を示す斜視図である。
【００２７】
図１、図２、図５などに示すように、蓋体２の裏面には、複数のリンクなどからなり、カートリッジホルダ５に係合するリンクユニット３０が取り付けられている。リンクユニット３０は、蓋体２の裏面ならびに側面内側に沿って蓋体２の裏面にねじ止めされた姿勢で配設され、液晶表示部６ａや複数の操作ボタン６ｂなどが上面部に露出して組み込まれたユニットパネル６と、本体キャビネット１の背面部に固定され、枢支ピン７ａを介して、本体キャビネット１に対して蓋体２を回動自在に枢支する平面視コ字形状のリンクシャーシ７と、リンクシャーシ７の一端に設けられたリンクピン７ｂを介して、リンクシャーシ７に回動自在に取り付けられるとともに本体キャビネット１の側面に固定されているリンク台８（図２においては、リンク台８を本体キャビネット１の側面部から取り外した状態を示している）と、リンク台８の他端近傍部に連結軸１２ａを介して回動自在に取り付けられ、蓋体２の開閉動作を直線運動のスライド動作に変換するための連結リンク９と、連結リンク９に連結軸１２ｂを介して連結されているとともに蓋体２の側面に沿って内側に立設されたユニットパネル６の側面部６ｃに対して側面部長手方向（蓋体２の奥行方向）に摺動可能に取り付けられた蓋体側スライダ１０とにより構成されている。
【００２８】
ここで、ユニットパネル６の側面部６ｃには、連結軸１２ｂをスライド自在に案内する長孔６ｄが形成され、また、蓋体側スライダ１０には、ユニットパネル６の側面部６ｃに取り付けられた連結軸１２ｃが挿入されている長孔１０ａが形成され、これらにより、蓋体側スライダ１０が蓋体２の側面内側において奥行方向にスライド自在に支持されている。
【００２９】
また、ユニットパネル６における側面部６ｃ近傍箇所に一体形成されたフック６ｆと、蓋体側スライダ１０に一体形成された係止レバー１０ｂとに渡って、付勢手段としてのコイルスプリングからなる引張ばね１１が掛け渡されており、この引張ばね１１により蓋体側スライダ１０がｃ方向（蓋体２の先端部側）に付勢されている。また、連結リンク９とリンク台８とを連結する連結軸１２ｂには、リンク台８に対して連結リンク９を開き方向に付勢するつる巻きばね２１が外装されている。このつる巻きばね２１の付勢力は比較的小さいものが用いられている一方、前記引張ばね１１は、その付勢力が大きなものが用いられており、これらの付勢手段の付勢力、特に引張ばね１１の付勢力により、連結リンク９を開き方向に付勢し、ひいては、蓋体２を本体キャビネット１に対して開放方向に付勢するように構成されている。
【００３０】
さらに、蓋体側スライダ１０にはカム形状部としてのカム孔１０ｃが形成されている。このカム孔１０ａは、カートリッジホルダ５に設けられたホルダ側スライダ１３の係合突起１３ａ（図１などを参照）に係合するようになっている。ここで、カム孔１０ｃは、蓋体２の裏面に近づく側（図２における下部側、すなわち、図１に示す配置では上部側）の箇所の孔形状が先端側に傾斜しながら広がるような形状に形成されている。
【００３１】
カートリッジ３を保持するカートリッジホルダ５は、図５、図６などに示すような構成とされている。つまり、記録媒体の駆動手段を保持するシャーシ１４における基端部側の側面に支持軸１４ａが突設され、この支持軸１４ａを中心としてカートリッジホルダ５が開閉自在に枢支されている。また、カートリッジホルダ５の側面部には、カートリッジ３に係合するホルダ側スライダ１３が、前記カートリッジホルダ５の側面部の奥行方向にスライド自在に取り付けられている。ここで、ホルダ側スライダ１３の奥端部は上片側と下片側との２又状に分けられ、奥端部の上片端部には、カートリッジホルダ５の側面部に形成された矩形孔５ｊおよびその周辺壁部などに沿う突起部１３ｃなどの被案内部が形成されて、ホルダ側スライダ１３を奥行方向に案内し、また、奥端部の下片端部には、カートリッジ３に設けられた係合凹部３ａ（図５参照）に弾性変形して係合するカートリッジ係合部としての係合凸部１３ｂが設けられており、カートリッジホルダ５にカートリッジ３が挿入された状態では、ホルダ側スライダ１３とカートリッジ３とが一体的に移動するように構成されている。さらに、ホルダ側スライダ１３の手前側端部には、側方に突出する係合突起１３ａが形成され、蓋体２およびユニットパネル６を、カートリッジホルダ５が取り付けられている本体キャビネット１に組付けることにより、ホルダ側スライダ１３の係合突起１３ａが蓋体側スライダ１０のカム孔１０ｃ内に挿入して、ホルダ側スライダ１３と蓋体側スライダ１０とが係合する構成とされている。
【００３２】
図１、図３、図５、図６に示すように、カートリッジホルダ５の挿入口５ｓには、カートリッジ３を導入するガイド体５Ｒ，５Ｌが形成されているとともに、このガイド体５Ｒ，５Ｌの下方には、カートリッジの誤挿入を防止するために、板状に伸びた阻止片５ａ、５ｂが形成されている。また、カートリッジホルダ５には板ばね５ｃ、５ｄが一体形成され、これらの板ばね５ｃ、５ｄによりカートリッジホルダ５が蓋体２の天面裏側から離れる方向に付勢されている。
【００３３】
なお、図１における２２は、本体キャビネット１の前面部にスライド自在に支持されたオープン用つまみ、２３はこのオープン用つまみ２２と一体的にスライドするロックレバーで、蓋体２を閉じた状態で、オープン用つまみ２２を所定方向にスライドさせると、ロックレバー２３による蓋体２のロックが解除される。
【００３４】
このような構成において、蓋体２を閉じた姿勢で、オープン用つまみ２２を所定方向にスライドさせて、ロックレバー２３による蓋体２のロックを解除すると、引張ばね１１による蓋体側スライダ１０を手前側に付勢する力により、蓋体側スライダ１０が手前側に移動して連結リンク９が本体キャビネット１から立設する方向に回動し、蓋体２が開放状態となる。蓋体２が開放されると、カートリッジホルダ５に形成された板ばね５ｃ、５ｄの付勢力により、図１に示すように、カートリッジホルダ５が蓋体２の裏面から少し離間した姿勢に保持され、カートリッジホルダ５の挿入口５ｓが本体キャビネット１と蓋体２の先端部との間に現れる。
【００３５】
この状態では、引張ばね１１によって蓋体２の先端側（イジェクト方向）に付勢された蓋体側スライダ１０は、長孔６ｄの前端に連結軸１２ｂが当接する位置で停止しており、また、ホルダ側スライダ１３は、その係合突起１３ａが蓋体側スライダ１０のカム孔１０ｃの下部に係合した位置で停止している。
【００３６】
この状態でカートリッジ３を挿入すると、カートリッジ３の係合凹部３ａにホルダ側スライダ１３の係合凸部１３ｂが係合し、図３に示すように、蓋体２の前端から５ｍｍ程度だけカートリッジ３の前端が突出する姿勢に保持される。この際のホルダ側スライダ１３の位置は、図７（ａ）に示すように、係合突起１３ａがカム孔１０ｃの幅が最も狭い下部に係合しているため、蓋体側スライダ１０の連結軸１２ｂとの係合部からホルダ側スライダ１３の係合凸部１３ｂまでの有効長さＬ１が長い状態になっている。
【００３７】
次に、蓋体２を閉じるように手動操作すると、蓋体２の閉塞方向への回動に伴って有効長さが長い状態で蓋体側スライダ１０とホルダ側スライダ１３とが、引張ばね１１の付勢力に抗して蓋体２の奥に迅速に引き込まれる。なお、引き込まれる途中でも、カートリッジ３が蓋体２と本体キャビネット１のロックレバー２３との間に挟み込まれるような装填不良は発生しない。
【００３８】
このカートリッジ３の引き込みが完了する閉塞完了の手前位置（閉塞手前位置と称す）では、図７（ｂ）に示すように、ホルダ側スライダ１３の係合突起１３ａがカム孔１０ｃの最小幅部から最大幅部へ連続的に繋がる傾斜部１０ｃ’（図７（ａ），（ｂ）参照）に係合するため、蓋体側スライダ１０の連結軸１２ｂとの係合部からホルダ側スライダ１３の係合凸部１３ｂまでの有効長さＬ２は、前記有効長さＬ１よりも短い状態となっている。
【００３９】
さらに、蓋体２が閉塞完了した時には、図７（ｃ）に示すように、ホルダ側スライダ１３の係合突起１３ａがカム孔１０ｃの最大幅部に移動するため、ホルダ側スライダ１３の係合凸部１３ｂにカートリッジ３の係合凹部３ａが係合したままで、カートリッジ３を必要最小の引き込み量で本体キャビネット１内のターンテーブル４に対する装着位置までの装填を完了することができる。
【００４０】
ここで、図７（ｃ）に示す状態における蓋体側スライダ１０の連結軸１２ｂとの係合部からホルダ側スライダ１３の係合凸部１３ｂまでの有効長さＬ３は、最も短い状態となる。すなわち、有効長さはＬ１＞Ｌ２＞Ｌ３となる。
【００４１】
このように、蓋体２の閉塞手前位置から閉塞完了位置までは、カム形状部としてのカム孔１０ｃにおいて蓋体側スライダ１０とホルダ側スライダ１３とのスライド方向の係合が外れて、ホルダ側スライダ１３が連動しないので、蓋体の動きに連動してスライダが常に移動する構造である場合と比較して、記録再生装置の奥行方向寸法を短めに形成することができる。つまり、閉塞完了状態ではカートリッジ３の引き込み途中よりも蓋体側スライダ１０とホルダ側スライダ１３との係合時の合計の有効長さ寸法（Ｌ１−Ｌ３）だけ短くなっているので、携帯用ＭＤレコーダの奥行方向の大型化を回避できる。
【００４２】
しかも、蓋体側スライダ１０を蓋体２の先端部側に付勢する付勢手段（この実施の形態においては引張ばね１１）としてコイルばねなどの付勢力の大きなものを採用でき、この付勢手段による蓋体側スライダ１０への付勢力は、本体キャビネット１の側面に連結された連結リンク９に、この連結リンク９が本体キャビネット１に対して開く方向に回動するように作用するので、蓋体２自体の重量が増加したり、上記のように、蓋体２に液晶表示部６ａや操作ボタン６ｂなどの他の部品が取り付けられて重量が増加したりする場合でも、蓋体２を開放側に良好に付勢させることができ、オープン用つまみ２２を操作することで、蓋体２を良好に開放できる。
【００４３】
なお、閉鎖状態からオープン用つまみ２２を操作してイジェクト動作を指示すると、カートリッジホルダ５の板ばね５ｃ，５ｄと引張ばね１１との付勢力によって、蓋体２が上記と逆の動作で開放方向へ回動するとともに、カートリッジ３がイジェクトされ、カートリッジ３の手前側部分が蓋体２よりも手前側に出てくる。したがって、カートリッジを手でつかみやすく、操作性が良好である。また、カートリッジ３の挿入時にはカートリッジ３をカートリッジホルダ５の奥端部まで移動させなくても、カートリッジ３の係合凹部３ａがホルダ側スライダ１３の係合凸部１３ｂに係合する位置までカートリッジを挿入させるだけでよくなり、蓋体２を閉じるとカートリッジ５が奥側に引き込まれて、支障なく駆動でき、操作性が良好である。
【００４４】
そして特に上記構成によれば、ホルダ側スライダ１３と蓋体側スライダ１０とを、カム孔１０ｃを介して連動させるように構成し、カム孔１０ｃの形状は容易に設計変更できるため、ホルダ側スライダ１３と蓋体側スライダ１０とを連動状態と非連動状態とに制御するタイミングや移動範囲の許容量を自由に設定できる利点がある。
【００４５】
なお、上記の実施の形態においては、蓋体側スライダ１０にカム孔１０ｃを形成し、ホルダ側スライダ１３に係合突起１３ａを設けたが、これに限るものではなく、蓋体側スライダ１０に係合突起を設け、ホルダ側スライダ１３にカム孔を形成してもよい。また、カム形状部としては、貫通孔のカム孔１０ｃと係合突起１３ａとにより構成したが、カム形状の凹部や凸部とこれに沿う部分とにより構成してもよい。
【００４６】
また、上記構成においては、図７（ｂ）に示すように、カートリッジ３が本体キャビネット１内の所定収納位置に移動するまでの閉塞手前位置で、ホルダ側スライダ１３の係合突起１３ａがカム孔１０ｃの最小幅部から最大幅部へ連続的に繋がる傾斜部１０ｃ’（図７（ａ），（ｂ）参照）に係合し、蓋体側スライダ１０に対して、ホルダ側スライダ１３が相対的に連結軸１２ｂ側に移動し、これにより、ホルダ側スライダ３が蓋体側スライダ１０に連動せず、蓋体２の基端部側に移動しない場合を述べたが、これに限るものではなく、カートリッジ３が本体キャビネット１内の所定収納位置まで移動して、本体キャビネット１に立設する位置決め用ポストにカートリッジ３に設けられた凹部が嵌合するなどして、カートリッジ３は正確に位置決めされた時点で、ホルダ側スライダ３が蓋体側スライダ１０に連動しないように構成してもよく、何れの場合にもカートリッジ３内の記録媒体はターンテーブル４に良好に装着される。
【００４７】
また、上記の実施の形態においては、ＭＤカートリッジおよび携帯用ＭＤプレーヤの場合を述べたが、これに限るものではなく、他のディスク状記録媒体が内蔵されるカートリッジやテープカセット携帯用ＭＤプレーヤおよびこの記録媒体に対して再生（および記録）する装置に対しても適用できることはもちろんである。
【産業上の利用可能性】
【００４８】
本発明にかかる記録再生装置の蓋開閉装置は、記録再生装置に対して記録媒体を収納したカートリッジを出し入れするために設けられている蓋体の開閉機構に利用可能である。
【図面の簡単な説明】
【００４９】
【図１】本発明の実施の形態に係る記録再生装置の外観斜視図
【図２】同記録再生装置における蓋体の裏面の斜視図
【図３】同記録再生装置における右側面の断面図で蓋体を開放した状態の図
【図４】同記録再生装置における右側面の断面図で蓋体を閉塞した状態の図
【図５】同記録再生装置における蓋体と本体キャビネットを取り除いた状態の分解斜視図
【図６】同記録再生装置における駆動手段にカートリッジホルダが取り付けられた状態の斜視図
【図７】（ａ）〜（ｃ）は、それぞれ同記録再生装置におけるローディング完了状態とその直前状態およびローディング開始状態における連結リンクと蓋体側スライダおよびホルダ側スライダの係合および位置関係を示す図
【図８】従来の記録再生装置の外観斜視図
【図９】同従来の記録再生装置における蓋体開放状態の第１のカートリッジガイド体を内側から見た斜視図
【図１０】同第１のカートリッジガイド体の分解斜視図
【図１１】同第１のカートリッジガイド体の内側から見た部分切欠側面図
【図１２】（ａ）〜（ｃ）は、それぞれ同従来の記録再生装置におけるローディング完了状態とその直前状態およびローディング開始状態における連結リンクと蓋体側スライダおよびホルダ側スライダの係合および位置関係を示す図
【符号の説明】
【００５０】
１      本体キャビネット
２      蓋体
５ｓ    挿入口
３      カートリッジ
３ａ    係合凹部
４      ターンテーブル
５      カートリッジホルダ
６      ユニットパネル
７      リンクシャーシ
８      リンク台
９      連結リンク
１０    蓋体側スライダ
１０ｃ    カム孔（カム形状部）
１１    引張ばね（付勢手段）
１２ａ〜１２ｃ    連結軸
１３      ホルダ側スライダ
１３ａ    係合突起
１３ｂ    係合凸部
１４      シャーシ
２１    つる巻きばね
【図１】
2005108308.tif 000003
【図２】
2005108308.tif 000004
【図３】
2005108308.tif 000005
【図４】
2005108308.tif 000006
【図５】
2005108308.tif 000007
【図６】
2005108308.tif 000008
【図７】
2005108308.tif 000009
【図８】
2005108308.tif 000010
【図９】
2005108308.tif 000011
【図１０】
2005108308.tif 000012
【図１１】
2005108308.tif 000013
【図１２】
2005108308.tif 000014